(57)【要約】【課題】タッチパネル部における操作者の指先による操作を楽にし、操作性を向上する。【解決手段】操作端末１０は、タッチパネル部１３への接触による操作入力を検出する操作検出部１７を備え、タッチパネル部１３の離間した２つの操作箇所で操作入力が行われていると判定された場合、２箇所の操作箇所の離間距離Ｌに対応した文字列Ｒの設定可能項目をタッチパネル部１３に表示する一方、２箇所の操作箇所のうち一方を固定操作点Ａ、他方を移動操作点Ｂとして決定し、移動操作点Ｂが固定操作点Ａを回転中心とした略円弧軌跡Ｅを描いたと判定された場合、当該略円弧軌跡Ｅに対応した固定操作点Ａまわりの回転角度θを算出し、上記設定可能項目に関わる複数の設定態様のうち、算出された回転角度θに対応したものをタッチパネル部１３に表示する。【選択図】図１３
2014067239.tif 000002
【特許請求の範囲】
【請求項１】
所定の操作機能及び所定の表示機能を備えたタッチパネル部と、前記タッチパネル部への接触による操作入力を検出する検出手段と、演算手段と、を備えた操作端末の前記演算手段に対し、
前記検出手段の検出結果に基づき、前記タッチパネル部の互いに離間した２つの操作箇所において前記操作入力が行われているか否かを判定する操作箇所判定手順と、
前記操作箇所判定手順で前記操作箇所が２箇所あると判定された場合、複数の設定可能項目のうち前記２箇所の操作箇所の離間距離に対応した設定可能項目、若しくは、前記複数の設定可能項目のそれぞれで設定可能な複数の設定態様のうち前記２箇所の操作箇所の離間距離に対応した設定態様、を前記タッチパネル部に表示する第１表示手順と、
前記操作箇所判定手順で前記２つの操作箇所で前記操作入力が行われていると判定された場合、前記２箇所の操作箇所のうち、一方を固定操作点、他方を移動操作点として決定する決定手順と、
前記決定手順で前記固定操作点及び前記移動操作点が決定された後、前記検出手段の検出結果に基づき、前記移動操作点が前記固定操作点を回転中心とした略円弧軌跡を描いたか否かを判定する円弧判定手順と、
前記円弧判定手順で前記移動操作点が前記略円弧軌跡を描いたと判定された場合、当該略円弧軌跡に対応した前記固定操作点まわりの回転角度を算出する角度算出手順と、
前記第１表示手順で前記２箇所の操作箇所の離間距離に対応した設定可能項目が表示されていた場合には、当該設定可能項目に関わる前記複数の設定態様のうち前記角度算出手順で算出された前記回転角度に対応した前記設定態様を前記タッチパネル部に表示し、前記第１表示手順で前記２箇所の操作箇所の離間距離に対応した設定態様が表示された場合には、前記角度算出手順で算出された前記回転角度に対応した前記設定可能項目を前記タッチパネル部に表示する、第２表示手順と、
を実行させるための、操作入力処理プログラム。
【請求項２】
請求項１記載の操作入力処理プログラムにおいて、
前記タッチパネル部は、
被印字媒体に文字列を含む所望の印字を形成した印字ラベルを作成するラベル作成装置を操作するための、前記所定の操作機能及び前記所定の表示機能を備えており、
前記第１表示手順は、
前記文字列に関わる前記複数の設定可能項目のうち前記２箇所の操作箇所の離間距離に対応した設定可能項目、若しくは、前記複数の設定可能項目のそれぞれで設定可能な複数の設定態様のうち前記２箇所の操作箇所の離間距離に対応した設定態様、を前記タッチパネル部に表示する
ことを特徴とする操作入力処理プログラム。
【請求項３】
請求項２記載の操作入力処理プログラムにおいて、
前記演算手段に対し、さらに、
前記第２表示手順で前記タッチパネル部において前記設定態様の表示若しくは前記設定可能項目の表示を行った後、前記検出手段の検出結果に基づき、前記２箇所の操作箇所における前記操作入力が消失したか否かを判定する消失判定手順と、
前記消失判定手順で前記操作入力が消失したと判定された場合、消失直前の前記固定操作点及び前記移動操作点の位置に対応した前記設定可能項目及び当該設定可能項目の前記設定態様を、前記ラベル作成装置へ送信する送信手順と、
を実行させることを特徴とする操作入力処理プログラム。
【請求項４】
請求項３記載の操作入力処理プログラムにおいて、
前記演算手段に対し、さらに、
前記操作箇所判定手順で前記操作箇所が２箇所あると判定された後、前記検出手段の検出結果に基づき、前記２箇所の操作箇所への接触状態を維持したまま当該２箇所の操作箇所の離間距離を変動させるピンチイン・ピンチアウト操作が行われたか否かを判定する遠近操作判定手順をさらに有し、
前記第１表示手順は、
前記ピンチイン・ピンチアウト操作により変動する前記離間距離に対応した前記設定可能項目若しくは前記設定態様を、前記タッチパネル部に表示する
ことを特徴とする操作入力処理プログラム。
【請求項５】
請求項２乃至請求項４のいずれか１項記載の操作入力処理プログラムにおいて、
前記演算手段に対し、さらに、
前記決定手順で前記固定操作点及び前記移動操作点を決定した後、前記検出手段の検出結果に基づき、前記固定操作点における前記操作入力が消失したか若しくは前記固定操作点の位置が移動した場合には、当該消失前若しくは当該移動前の前記固定操作点の位置をみなし固定操作点に設定する、みなし設定手順を実行させ、
前記円弧判定手順は、
前記移動操作点が前記みなし固定操作点を回転中心とした略円弧軌跡を描いたか否かを判定し、
前記角度算出手順は、
前記略円弧軌跡に対応した前記みなし固定操作点まわりの回転角度を算出する
ことを特徴とする操作入力処理プログラム。
【請求項６】
請求項２乃至請求項４のいずれか１項記載の操作入力処理プログラムにおいて、
前記決定手順で前記固定操作点及び前記移動操作点を決定した後、前記検出手段の検出結果に基づき、前記固定操作点の位置が移動した場合には、
前記円弧判定手順は、
当該移動後の新たな前記固定操作点を回転中心とした略円弧軌跡を描いたか否かを判定し、
前記角度算出手順は、
前記略円弧軌跡に対応した前記新たな固定操作点まわりの回転角度を算出する
ことを特徴とする操作入力処理プログラム。
【請求項７】
所定の操作機能及び所定の表示機能を備えたタッチパネル部と、前記タッチパネル部への接触による操作入力を検出する検出手段と、を備えた操作端末が実行する操作入力処理方法であって、
前記検出手段の検出結果に基づき、前記タッチパネル部の互いに離間した２つの操作箇所において前記操作入力が行われているか否かを判定する操作箇所判定手順と、
前記操作箇所判定手順で前記操作箇所が２箇所あると判定された場合、複数の設定可能項目のうち前記２箇所の操作箇所の離間距離に対応した設定可能項目、若しくは、前記複数の設定可能項目のそれぞれで設定可能な複数の設定態様のうち前記２箇所の操作箇所の離間距離に対応した設定態様、を前記タッチパネル部に表示する第１表示手順と、
前記操作箇所判定手順で前記２つの操作箇所で前記操作入力が行われていると判定された場合、前記２箇所の操作箇所のうち、一方を固定操作点、他方を移動操作点として決定する決定手順と、
前記決定手順で前記固定操作点及び前記移動操作点が決定された後、前記検出手段の検出結果に基づき、前記移動操作点が前記固定操作点を回転中心とした略円弧軌跡を描いたか否かを判定する円弧判定手順と、
前記円弧判定手順で前記移動操作点が前記略円弧軌跡を描いたと判定された場合、当該略円弧軌跡に対応した前記固定操作点まわりの回転角度を算出する角度算出手順と、
前記第１表示手順で前記２箇所の操作箇所の離間距離に対応した設定可能項目が表示されていた場合には、当該設定可能項目に関わる前記複数の設定態様のうち前記角度算出手順で算出された前記回転角度に対応した前記設定態様を前記タッチパネル部に表示し、前記第１表示手順で前記２箇所の操作箇所の離間距離に対応した設定態様が表示された場合には、前記角度算出手順で算出された前記回転角度に対応した前記設定可能項目を前記タッチパネル部に表示する、第２表示手順と、
を有することを特徴とする操作入力処理方法。
【発明の詳細な説明】
【技術分野】
【０００１】
本発明は、タッチパネル部を備えた操作端末において実行される、操作入力処理プログラム及び操作入力処理方法に関する。
【背景技術】
【０００２】
操作者が指先のジェスチャーにより各種設定操作を行える、操作端末が既に知られている（例えば、特許文献１参照）。この従来技術では、タッチパネル部（マルチタッチ・センシティブ・ディスプレイ）に表示された図形（グラフィック・オブジェクト）に対し、操作者が指先を接触させて操作を行うことで、各種のパラメータ（例えば音量等）を所望の値に設定することができる。
【先行技術文献】
【特許文献】
【０００３】
【特許文献１】特開２００９−５２２６６９号公報（図３）
【発明の概要】
【発明が解決しようとする課題】
【０００４】
しかしながら、上記従来技術では、タッチパネルに円形の図形（ノブ）が表示され、その円形図形の外縁に沿って当該図形を回転させるように操作する必要がある。
操作者が親指と人差し指とで上記円形図形を回転操作しようとした場合、回転半径が小さいことから指先による操作が窮屈になり、操作性の点で難があった。
【０００５】
本発明の目的は、タッチパネル部における操作者の指先による操作を楽にし、操作性を向上することができる操作入力処理プログラム及び操作入力処理方法を提供することにある。
【課題を解決するための手段】
【０００６】
上記目的を達成するために、本願発明は、所定の操作機能及び所定の表示機能を備えたタッチパネル部と、前記タッチパネル部への接触による操作入力を検出する検出手段と、演算手段と、を備えた操作端末の前記演算手段に対し、前記検出手段の検出結果に基づき、前記タッチパネル部の互いに離間した２つの操作箇所において前記操作入力が行われているか否かを判定する操作箇所判定手順と、前記操作箇所判定手順で前記操作箇所が２箇所あると判定された場合、複数の設定可能項目のうち前記２箇所の操作箇所の離間距離に対応した設定可能項目、若しくは、前記複数の設定可能項目のそれぞれで設定可能な複数の設定態様のうち前記２箇所の操作箇所の離間距離に対応した設定態様、を前記タッチパネル部に表示する第１表示手順と、前記操作箇所判定手順で前記２つの操作箇所で前記操作入力が行われていると判定された場合、前記２箇所の操作箇所のうち、一方を固定操作点、他方を移動操作点として決定する決定手順と、前記決定手順で前記固定操作点及び前記移動操作点が決定された後、前記検出手段の検出結果に基づき、前記移動操作点が前記固定操作点を回転中心とした略円弧軌跡を描いたか否かを判定する円弧判定手順と、前記円弧判定手順で前記移動操作点が前記略円弧軌跡を描いたと判定された場合、当該略円弧軌跡に対応した前記固定操作点まわりの回転角度を算出する角度算出手順と、前記第１表示手順で前記２箇所の操作箇所の離間距離に対応した設定可能項目が表示されていた場合には、当該設定可能項目に関わる前記複数の設定態様のうち前記角度算出手順で算出された前記回転角度に対応した前記設定態様を前記タッチパネル部に表示し、前記第１表示手順で前記２箇所の操作箇所の離間距離に対応した設定態様が表示された場合には、前記角度算出手順で算出された前記回転角度に対応した前記設定可能項目を前記タッチパネル部に表示する、第２表示手順と、を実行させる。
【０００７】
本願第１発明においては、操作者は、操作端末を介し被操作装置を操作することができる。このとき、操作端末は、タッチパネル部と、そのタッチパネル部への操作入力を検出する検出手段と、を備えている。操作者が指によりタッチパネル部に接触することで所望の操作入力を行うと、その操作入力が検出手段により検出され、さらに検出結果に対応する各種の処理が実行されることで、被操作装置の動作に関する設定態様を所望に設定することができる。
【０００８】
すなわち、本願第１発明の操作入力処理プログラムが実行されると、まず操作箇所判定手順で、タッチパネル部の互いに離間した２つの操作箇所において操作入力が行われているか否かを判定する。例えば、操作者が、親指と人差し指（又はそれ以外の指でもよい。以下同様）との２本をタッチパネル部に接触させると、その２つの指の接触により上記判定が満たされる。
【０００９】
このようにして判定が満たされると、その後の第１表示手順で、予め定められた複数の設定可能項目（例えば、ラベル作成装置が作成する印字ラベルの文字スタイル、フォントサイズ、フォント種類や、デジタルオーディオプレーヤに備えられる機能としての選曲、音量、イコライザ等）のうち、上記２つの操作箇所の離間距離に対応した設定可能項目が、タッチパネル部に表示される。
【００１０】
一方、上記のようにして２つの指の接触により上記判定が満たされると、決定手順で、その２つの指の接触による２箇所の操作箇所のうち、一方（例えば親指。以下同様）が固定操作点、他方（例えば人差し指。以下同様）が移動操作点として決定される。その後、操作者は、上記固定操作点である親指をタッチパネル部に接触させた状態で固定したまま、その親指を回転中心として、上記移動操作点である人差し指により略円弧を描くように回転させる。これにより、円弧判定手順における判定が満たされ、その後の角度算出手順で、上記略円弧軌跡に対応した回転角度が算出される。その後、第２表示手順で、上記第１表示項目で設定された設定可能項目について予め定められた複数の設定態様（例えば上記設定可能項目がフォントサイズであれば、サイズ「９」「１０」「１２」、上記設定可能項目が選曲であれば、「Ｍｕｓｉｃ１」「Ｍｕｓｉｃ２」「Ｍｕｓｉｃ３」等）のうち、上記算出された回転角度に対応した設定態様（例えばサイズ「１２」）が、タッチパネル部に表示される。
【００１１】
以上のようにして、操作者が親指と人差し指とによってタッチパネル部の２箇所に接触を行うことで、被操作装置の動作に関する設定可能項目が選択され、さらにタッチパネル部上において親指を回転中心として人差し指で円弧の軌跡を描くことで、上記選択された設定可能項目に関する設定態様が選択される。これにより、操作者は、機械的なボタンやキー等を操作する場合に比べ、容易かつ手軽に被操作装置における各種設定態様を所望に設定することができる。また、上記のように固定操作点となる指（上記の例では親指）を中心として移動操作点となる指（上記の例では人差し指）を回転させれば足りるので、タッチパネル部に表示された円形の図形（ノブ）の外縁に沿って当該図形を回転させるように操作する必要がある従来手法に比べ、回転半径を大きくとることができる。この結果、操作者の指先による操作が楽になり、操作性を向上することができる。
【００１２】
なお、上記では、第１表示手順で複数の設定可能項目のうち固定操作点と移動操作点との離間距離に対応した１つの設定可能項目を表示した後に、第２表示手順で当該１つの設定可能項目における複数の設定態様のうち上記回転角度に対応した１つの設定態様を表示した。これに代えて、第１表示手順で上記離間距離に対応した１つの設定態様を表示した後に、第２表示手順で複数の設定可能項目のうち上記回転角度に対応した１つの設定可能項目を表示してもよい。この場合も、上記同様、容易かつ手軽に被操作装置における各種設定態様を所望に設定でき、操作性を向上することができる。
【発明の効果】
【００１３】
本発明によれば、タッチパネル部における操作者の指先による操作を楽にし、操作性を向上することができる。
【図面の簡単な説明】
【００１４】
【図１】本発明の実施の形態におけるラベル作成用処理方法を実行する操作端末を示す正面図である。
【図２】操作端末によって操作されるラベル作成装置を示す正面図である。
【図３】操作端末の機能的構成を示す機能ブロック図である。
【図４】ラベル作成装置の機能的構成を示す機能ブロック図である。
【図５】ラベル作成装置の制御回路によって実行される制御手順を示すフローチャートである。
【図６】タッチパネル部に表示された文字列の態様の変更を示す説明図である。
【図７】タッチパネル部における、文字列に対する設定可能項目の表示機能を示す説明図である。
【図８】タッチパネル部における、設定可能項目に対応した設定態様の表示機能を示す説明図である。
【図９】親指と人差し指を用いたタッチパネル部への２点接触に基づき、対応する１つの設定可能項目がハイライト表示されている状態を表す説明図である。
【図１０】親指と人差し指を用いたタッチパネル部への２点接触に基づき、対応する１つの設定可能項目がハイライト表示されている状態を表す説明図である。
【図１１】親指と人差し指を用いたタッチパネル部への２点接触に基づき、対応する１つの設定可能項目がハイライト表示されている状態を表す説明図である。
【図１２】親指を回転中心として人差し指により略円弧軌跡を描いていくとき、対応する１つの設定態様がハイライト表示されている状態を表す説明図である。
【図１３】親指を回転中心として人差し指により略円弧軌跡を描いていくとき、対応する１つの設定態様がハイライト表示されている状態を表す説明図である。
【図１４】操作端末の制御回路が実行する制御手順を示すフローチャートである。
【図１５】固定操作点に位置ずれ等が生じた場合に対応した変形例における、操作端末の制御回路が実行する制御手順を示すフローチャートである。
【図１６】固定操作点に位置ずれ等が生じた場合に対応した別の変形例における、操作端末の制御回路が実行する制御手順を示すフローチャートである。
【発明を実施するための形態】
【００１５】
以下、本発明の実施の形態を図面を参照しつつ説明する。本実施形態では、操作端末で操作入力プログラムとしてラベル作成用プログラムの実行する場合を例にとって説明する。
【００１６】
＜操作端末及びラベル作成装置の概略構成＞
図１に示すように、操作端末１０は、被操作装置であるラベル作成装置２０（後述の図２参照）を操作するために用いられる。操作端末１０は、操作者が操作可能な操作ボタン１２と、例えば液晶ディスプレイ等を備えたタッチパネル部１３と、を有する。
【００１７】
図２に示すように、上記操作端末１０によって操作されるラベル作成装置２０は、例えば液晶ディスプレイからなり各種情報や各種メッセージを表示する表示部２２と、操作者が各種操作を可能な操作部２３と、装置本体２１内に配設されたカッタ２７（後述の図４参照）を駆動するためのカットレバー２４とを備えている。
【００１８】
操作部２３には、文字、記号、及び数字等を入力するための入力キー等を含む種々の機能キー２３ａが含まれている。
【００１９】
＜操作端末の機能的構成＞
上記操作端末１０の機能的構成を図３に示す。操作端末１０は、制御回路１４と、各種情報を記憶するメモリ１５と、通信制御部１６と、操作検出部１７（検出手段に相当）と、上記操作ボタン１２と、上記タッチパネル部１３とを有する。
【００２０】
通信制御部１６は、無線通信（又は有線通信）を介して接続された上記ラベル作成装置２０との間で行われる、情報通信の制御を行う。
【００２１】
制御回路１４は、図示しないＣＰＵ（演算手段に相当）、ＲＡＭ、及びＲＯＭを備えている。この制御回路１４は、ＣＰＵの演算機能により、ＲＡＭの一時記憶機能を利用しつつ、ＲＯＭに予め記憶された各種プログラムを実行する。この各種プログラムには、後述する図１４、図１５、図１６等に示す手順を実行するためのラベル作成用処理プログラム（操作入力処理プログラムに相当）が含まれている。また、制御回路１４は、通信制御部１６を介し、無線通信（又は有線通信）によりラベル作成装置２０と接続されており、ラベル作成装置２０と各種情報やデータの送受が可能となっている。
【００２２】
メモリ１５は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリ（記録媒体に相当）から構成されている。このメモリ１５には、上記ラベル作成用処理プログラムを含む上記各種プログラムが記憶されている。
【００２３】
タッチパネル部１３は、所定の操作機能及び所定の表示機能を備えている。すなわち、タッチパネル部１３は、操作者の操作部２３を介した操作入力に基づく、印字ラベルに印字される文字列を表示する。またタッチパネル部１３は、後述するように、操作者の２本の指の接触操作により、上記文字列を所望の態様に設定することができる。設定された文字列は、印字データとして上記メモリ１５に格納されるとともに、印字ラベル作成時、通信制御部１６を介してラベル作成装置２０に送信される。
【００２４】
＜ラベル作成装置の機能的構成＞
上記ラベル作成装置２０の機能的構成を図４に示す。図４において、ラベル作成装置２０は、制御回路２５と、各種情報を記憶するメモリ２６と、通信制御部２８と、上記表示部２２と、上記操作部２３と、上記カットレバー２４と、カートリッジホルダ３２と、搬送装置２９と、印字ヘッド３０と、カッタ２７とを有する。
【００２５】
通信制御部２８は、上記のように無線又は有線を介して接続された操作端末１０との間で行われる、情報通信の制御を行う。
【００２６】
制御回路２５は、図示しないＣＰＵ、ＲＡＭ、及びＲＯＭを備えている。この制御回路２５は、ＲＡＭの一時記憶機能を利用しつつ、ＲＯＭに予め記憶された各種プログラムを実行する。これにより、制御回路２５は、ラベル作成装置２０全体の制御を行う。また、制御回路２５は、通信制御部２８を介して操作端末１０と接続されており、操作端末１０とデータの送受が可能となっている。
【００２７】
メモリ２６は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。このメモリ２６には、操作端末１０から送信された印字データを格納可能となっている。
【００２８】
カートリッジホルダ３２は、テープ３３（被印字媒体に相当）を供給可能なカートリッジ３１を着脱可能に構成されている。カートリッジ３１は、テープ３３を図示しないリール部材の周りに巻回したテープロール３４（本来は渦巻き状であるが簡略化して同心円で図示している）を備えている。
【００２９】
搬送装置２９は、印字ヘッド３０に対向して設けられている。この搬送装置２９は、制御回路２５により制御されて、カートリッジホルダ３２に装着したカートリッジ３１のテープロール３４から繰り出されて供給される、テープ３３を搬送する。
【００３０】
印字ヘッド３０は、制御回路２５により制御されて、テープロール３４から繰り出され搬送装置２９により搬送されるテープ３３に対し、所望の印字を形成する。
【００３１】
カッタ２７は、操作者によりカットレバー２４が操作されることで、印字ヘッド３０による印字が終了したテープ３３を切断して、印字ラベル（図示せず）とする。
【００３２】
＜印字ラベルの作成手順＞
図５に、印字ラベル作成時にラベル作成装置２０の制御回路によって実行される制御手順の一例を示すフローチャートを示す。このフローに示す処理は、操作者が操作端末１０によって、後述のように印字ラベルのイメージを編集した後に、ラベル作成装置２０に対しラベル作成指示を出力することにより開始される。
【００３３】
図５において、まずステップＳ１０で、制御回路２５は、搬送装置２９に制御信号を出力し、カートリッジホルダ３２に装着されたカートリッジ３１のテープロール３４からのテープ３３の繰り出し、すなわちテープ３３の搬送を開始させる。
【００３４】
そして、ステップＳ２０に移り、制御回路２５は、テープ３３が所定量だけ搬送されたかどうかを判定する。なお、この所定量とは、例えば、テープ３３の図示しない印字領域の先端が、印字ヘッド３０とほぼ対向する位置に到達するだけの搬送距離（いわゆる前余白用の搬送量）である。所定量搬送されるまでステップＳ２０の判定が満たされず（Ｓ２０：ＮＯ）、ループ待機し、所定量搬送されたらステップＳ２０の判定が満たされて（Ｓ２０：ＹＥＳ）、ステップＳ３０に移る。
【００３５】
ステップＳ３０では、制御回路２５は、印字ヘッド３０に制御信号を出力し、搬送装置２９により搬送されるテープ３３の印字領域に対し、メモリ２６に格納された印字データの印字を開始させる。
【００３６】
その後、ステップＳ４０で、制御回路２５は、上記ステップＳ３０で開始した印字ヘッド３０によるテープ３３の印字領域への印字データの印字がすべて完了しているかどうかを判定する。印字がすべて完了するまでステップＳ４０の判定が満たされず（Ｓ４０：ＮＯ）、ループ待機し、印字がすべて完了したらステップＳ４０の判定が満たされて（Ｓ４０：ＹＥＳ）、ステップＳ５０に移る。
【００３７】
ステップＳ５０では、制御回路２５は、テープ３３がさらに所定量（例えば印字領域のすべてがカッタ２７を所定の長さ分越えるだけの搬送距離。いわゆる後余白用の搬送量）だけ搬送されたかどうかを判定する。所定量搬送されるまでステップＳ５０の判定が満たされず（Ｓ５０：ＮＯ）、ループ待機し、所定量搬送されたらステップＳ５０の判定が満たされて（Ｓ５０：ＹＥＳ）、ステップＳ６０に移る。
【００３８】
ステップＳ６０では、制御回路２５は、搬送装置２９に制御信号を出力し、ステップＳ２２０で開始させたテープロール３４からのテープ３３の繰り出し、すなわちテープ３３の搬送を停止させる。
【００３９】
そして、ステップＳ７０では、制御回路２５は、表示部２２に表示信号を出力し、カットレバー２４を操作することによりテープ３３を切断可能な状態である旨の表示を行わせる。その後、このフローに示す処理を終了する。上記表示に応じて操作者がカットレバー２４を操作すると、カッタ２７が作動してテープ３３が切断される。このカッタ２７による切断によって、テープ３３から印字ヘッド３０による印字が行われた部分が切り離されて、印字ラベルが作成される。
【００４０】
＜本実施形態の特徴＞
上述したように、操作端末１０のタッチパネル部１３では、操作者の操作入力に基づく文字列が表示される。本実施形態の特徴は、上記タッチパネル部１３への２本の指の接触操作により上記表示された文字列の態様を所望に設定できるようにしたことにある。詳細には、その態様の変更を行う項目（設定可能項目に相当。この例では後述のようにフォント種類、フォントサイズ、文字スタイル等がある）が上記接触操作により選択された後、その選択された項目についての具体的な設定態様がさらに上記接触操作により決定される。以下、その詳細を、図６〜図１３により順を追って説明する。
【００４１】
＜文字列の態様変更の例＞
タッチパネル部１３に表示された文字列の態様の変更の例を図６（ａ）〜（ｆ）により説明図する。例えば、図６（ａ）には、タッチパネル部１３に表示可能な適宜の編集画面（図示せず）のラベルイメージＭ内に、フォントサイズ「１２」のゴシック体で「重岡  宗太郎」の文字列Ｒが表示されている。
【００４２】
上記図６（ａ）の文字列Ｒが表示された状態で、フォント種類を明朝体に変更した場合を図６（ｂ）に示す（上記設定可能項目として「フォント種類」を選択し、当該フォント種類の設定態様のうちの「明朝体」を選択した場合に相当。詳細は後述）。図示のように、この場合、「重岡  宗太郎」の文字列Ｒが、フォントサイズ「１２」の明朝体により表示される。
【００４３】
上記図６（ａ）の文字列Ｒが表示された状態で、フォントサイズを「１０」に変更した場合を図６（ｃ）に示す（上記設定可能項目として「フォントサイズ」を選択し、当該フォントサイズの設定態様のうちの「１０」を選択した場合に相当。詳細は後述）。図示のように、この場合、「重岡  宗太郎」の文字列Ｒが、フォントサイズ「１０」のゴシック体により表示される。
【００４４】
上記図６（ａ）の文字列Ｒが表示された状態で、フォントサイズを「９」に変更した場合を図６（ｄ）に示す（上記設定可能項目として「フォントサイズ」を選択し、当該フォントサイズの設定態様のうちの「９」を選択した場合に相当。詳細は後述）。図示のように、この場合、「重岡  宗太郎」の文字列Ｒが、フォントサイズ「９」のゴシック体により表示される。
【００４５】
上記図６（ａ）の文字列Ｒが表示された状態で、文字スタイルを斜字に変更した場合を図６（ｅ）に示す（上記設定可能項目として「文字スタイル」を選択し、当該文字スタイルの設定態様のうちの「斜字」を選択した場合に相当。詳細は後述）。図示のように、この場合、「重岡  宗太郎」の文字列Ｒが、フォントサイズ「１２」のゴシック体の斜字により表示される。
【００４６】
上記図６（ａ）の文字列Ｒが表示された状態で、文字スタイルを太字に変更した場合を図６（ｆ）に示す（上記設定可能項目として「文字スタイル」を選択し、当該文字スタイルの設定態様のうちの「太字」を選択した場合に相当。詳細は後述）。図示のように、この場合、「重岡  宗太郎」の文字列Ｒが、フォントサイズ「１２」のゴシック体の太字により表示される。
【００４７】
＜タッチパネル部における設定可能項目の表示機能＞
まず図７を用いて、タッチパネル部１３における、上記文字列Ｒに対する設定可能項目の表示機能を説明する。図７において、この例では、操作者が例えば親指３６と人差し指３７（後述の図８等参照）とによってタッチパネル部１３の２点に接触すると、その接触した２点、すなわち接触点Ａと接触点Ｂ（後述の例では点Ｂ１，Ｂ２，Ｂ３の３種類が存在する）との間の離間距離Ｌに応じて、３つの設定可能項目が表示可能である。すなわち、「フォント種類」表示部４１と、「フォントサイズ」表示部４２（図中では「サイズ」と略示）表示部４２と、「文字スタイル」表示部４３（図中では「スタイル」と略示）とが、この例ではタッチパネル部１３において選択的に（すなわちいずれか１つが）表示される。
【００４８】
図７の例では、例えば一方の指（例えば親指３６）がタッチパネル部１３の左下部に接触し、他方の指（例えば人差し指３６）が高さ方向に離れた部分に接触した場合を例にとって示している。このような２点接触が行われた際、一方の指の接触点Ａから他方の指の接触点Ｂ１までの離間距離Ｌが、比較的長いＬ１及びその近傍である場合、タッチパネル部１３には、上記設定可能項目としてフォント種類を選択するための「フォント種類」表示部４１が表示される。また、一方の指の接触点Ａから他方の指の接触点Ｂ２までの離間距離Ｌが、中程度のＬ２及びその近傍である場合、タッチパネル部１３には、上記設定可能項目として文字サイズを選択するための「フォントサイズ」表示部４２が表示される。また、一方の指の接触点Ａから他方の指の接触点Ｂ３までの離間距離Ｌが、比較的短いＬ３及びその近傍である場合、タッチパネル部１３には、上記設定可能項目として文字スタイルを選択するための「文字スタイル」表示部４３が表示される。
【００４９】
＜タッチパネル部における設定態様の表示機能＞
次に、図８を用いて、上記図７のようにして設定可能項目が選択的に表示された後に、当該設定可能項目に対応した設定態様の表示機能を説明する。図８において、この例では、上記離間距離Ｌだけ離間して接触点Ａと接触点Ｂ１，Ｂ２，Ｂ３とが接触された後、上記離間距離Ｌに応じて選択的に表示された１つの設定可能項目に対し、その後の接触点Ａ周りの所定の回転角度θに応じて、３つの設定態様が表示可能である。
【００５０】
すなわち、この例では、タッチパネル１３において図示下方に位置する一方の指（例えば親指）３６の接触点Ａが固定操作点に決定され、タッチパネル１３において図示下方に位置する他方の指（例えば人差し指）３７の接触点Ｂ（Ｂ１，Ｂ２，Ｂ３）が移動操作点に決定される。そして、上記人差し指３７が、上記親指３６の接触点Ａを回転中心とした略円弧軌跡Ｅ１，Ｅ２，Ｅ３のいずれか１つを描くように移動したとき、上記接触点Ａ周りの回転角度θの値に応じて、各設定可能項目に対し３つの設定態様のいずれか１つが選択的に表示される。
【００５１】
例えば、上記離間距離ＬがＬ１又はその近傍であって前述のようにして設定可能項目として「フォント種類」表示部４１が表示された場合には、上記移動により回転角θが０°から増大し１５°又はその近傍となったとき（言い換えれば人差し指３７による接触点Ｂ１が略円弧軌跡Ｅ１とラインｈ１との交点又はその近傍となったとき）に、「ゴシック体」表示部４１ａ（図中では「ゴシック」と略示）がタッチパネル部１３において表示される。また、さらなる移動により回転角θが増大し３０°又はその近傍となったとき（言い換えれば人差し指３７による接触点Ｂ１が略円弧軌跡Ｅ１とラインｈ２との交点又はその近傍となったとき）には、「明朝体」表示部４１ｂ（図中では「明朝」と略示）がタッチパネル部１３において表示される。また、さらなる移動により回転角θが増大し４５°又はその近傍となったとき（言い換えれば人差し指３７による接触点Ｂ１が略円弧軌跡Ｅ１とラインｈ３との交点又はその近傍となったとき）には、「丸文字体」表示部４１ｃ（図中では「丸文」と略示）が、タッチパネル部１３において表示される。
【００５２】
また例えば、上記離間距離ＬがＬ２又はその近傍であって前述のようにして設定可能項目として「フォントサイズ」表示部４２が表示された場合には、上記移動により回転角θが０°から増大し１５°又はその近傍となったとき（言い換えれば人差し指３７による接触点Ｂ２が略円弧軌跡Ｅ２とラインｈ１との交点又はその近傍となったとき）に、「９サイズ」表示部４２ａ（図中では「９」と略示）がタッチパネル部１３において表示される。また、さらなる移動により回転角θが増大し３０°又はその近傍となったとき（言い換えれば人差し指３７による接触点Ｂ２が略円弧軌跡Ｅ２とラインｈ２との交点又はその近傍となったとき）には、「１０サイズ」表示部４２ｂ（図中では「１０」と略示）がタッチパネル部１３において表示される。また、さらなる移動により回転角θが増大し４５°又はその近傍となったとき（言い換えれば人差し指３７による接触点Ｂ２が略円弧軌跡Ｅ２とラインｈ３との交点又はその近傍となったとき）には、「１２サイズ」表示部４２ｃ（図中では「１２」と略示）が、タッチパネル部１３において表示される。
【００５３】
また例えば、上記離間距離ＬがＬ３又はその近傍であって前述のようにして設定可能項目として「文字スタイル」表示部４３が表示された場合には、上記移動により回転角θが０°から増大し１５°又はその近傍となったとき（言い換えれば人差し指３７による接触点Ｂ３が略円弧軌跡Ｅ３とラインｈ１との交点又はその近傍となったとき）に、「正字」表示部４３ａがタッチパネル部１３において表示される。また、さらなる移動により回転角θが増大し３０°又はその近傍となったとき（言い換えれば人差し指３７による接触点Ｂ３が略円弧軌跡Ｅ３とラインｈ３との交点又はその近傍となったとき）には、「太字」表示部４３ｂがタッチパネル部１３において表示される。また、さらなる移動により回転角θが増大し４５°又はその近傍となったとき（言い換えれば人差し指３７による接触点Ｂ３が略円弧軌跡Ｅ３とラインｈ３との交点又はその近傍となったとき）には、「斜字」表示部４３ｃが、タッチパネル部１３において表示される。
【００５４】
なお、移動する指は人差し指３７以外の中指等としてもよい。また、親指３６を移動する指とし、人差し指３７若しくは中指等を固定する指としてもよい。また、固定操作点（接触点Ａ）は、タッチパネル部１３の左下部でなくてもよく、適宜の箇所とすることができる。離間距離Ｌ１，Ｌ２，Ｌ３は、Ｌ１＞Ｌ２＞Ｌ３の大小関係を満たせばよく、適宜の距離とすることができる。
【００５５】
＜操作入力の具体例＞
上述したタッチパネル部１３の２点接触による操作入力の具体例を図９〜図１３により説明する。なお、図９〜図１３では、図示の煩雑化を避けるために、上記操作端末１０のうち、操作ボタン１２等のタッチパネル部１３以外の構成の図示を簡略化又は省略している。
【００５６】
例えば、操作者が、図９に示すように、手の親指３６と人差し指３７とを比較的短い距離（図７及び図８の上記離間距離Ｌ３に対応）で開き、親指３６と人差し指３７とでタッチパネル部１３の２点を接触する。この２点の接触により、人差し指３７が接触した位置（図７及び図８の接触点Ｂ３に相当）に、上記「文字スタイル」表示部４３のハイライト表示（又は点滅表示等、他とは異なる態様の表示であれば足りる。以下同様）が行われる。このとき、「フォント種類」表示部４１及び「フォントサイズ」表示部４２は非表示（又は網掛け表示等の目立たない表示でもよい。以下同様）である。また、前述の「正字」表示部４３ａ、「太字」表示部４３ｂ、「斜字」表示部４３ｃ、「９サイズ」表示部４２ａ、「１０サイズ」表示部４２ｂ、「１２サイズ」表示部４２ｃ、「ゴシック体」表示部４１ａ、「明朝体」表示部４１ｂ、「丸文字体」表示部４１ｃも非表示（又は網掛け表示等の目立たない表示）となっている。
【００５７】
上記の後、例えば、操作者が、そのタッチパネル部１３の左下部付近に接触した親指３６の接触状態を保ったまま、図１０に示すように、親指３６に対し人差し指３７を開いてピンチアウトし（図中白抜き矢印参照）、人差し指３７と親指３６との間を中程度の距離（図７及び図８の上記離間距離Ｌ２に対応）とする。すると、人差し指３７が接触した位置（図７及び図８の接触点Ｂ２に相当）に、上記「フォントサイズ」表示部４２のハイライト表示が行われる。これに伴い、上記「フォントスタイル」表示部４３は、前述のハイライト表示から非表示に変わる。
【００５８】
上記の後、例えば、操作者が、図１１に示すように、親指３６に対し人差し指３７をさらに開いてピンチアウトし（図中白抜き矢印参照）、人差し指３７と親指３６との間を比較的長い距離（図７及び図８の上記離間距離Ｌ３に対応）とする。すると、人差し指３７が接触した位置（図７及び図８の接触点Ｂ３に相当）に、上記「フォント種類」表示部４３のハイライト表示が行われる。これに伴い、上記「フォントサイズ」表示部４３は、前述のハイライト表示から非表示に変わる。
【００５９】
そして、上記のようにタッチパネル部１３の左上部まで接触移動した人差し指３７を、親指３６を中心に略円弧軌跡Ｅ１を描くように移動を開始すると、上記設定可能項目としての「フォント種類」表示部４１の選択が確定する。そして、略円弧軌跡Ｅ１と上記ラインｈ１との交点（又はその近傍）に「ゴシック体」表示部４１ａが表示され、略円弧軌跡Ｅ１と上記ラインｈ２との交点（又はその近傍）に「明朝体」表示部４１ｂが表示され、略円弧軌跡Ｅ１と上記ラインｈ３との交点（又はその近傍）に「丸文字体」４１ｃが表示される。なお、これら表示部４１ａ，４１ｂ，４１ｃについては、（上記ハイライト表示や点滅表示ではない）通常の点灯表示となっている。但し、ハイライト表示・点滅表示としてもよい。あるいは非表示のままとすることも考えられる。
【００６０】
その後、略円弧軌跡Ｅ１を描く人差し指３７が、図１２に示すように、既に表示された「ゴシック体」表示部４１ａの位置に到達すると、「ゴシック体」表示部４１ａはハイライト表示に変わる（このとき上記「フォント種類」表示は通常の点灯表示に変わっている。また「明朝体」表示部４１ｂ及び「丸文字体」表示部４１ｃは非表示に変わっている）。操作者が人差し指３７をこの「ゴシック体」表示部４１ａの位置で止めることで、文字列Ｒに対する設定態様としてゴシック体が選択される。
【００６１】
そしてこの時点で、操作者が親指３６と人差し指３７とをタッチパネル部１３から離すと、上記設定可能項目としての「フォント種類」の選択と上記設定態様としての「ゴシック体」の選択とが確定し、文字列Ｒに対する設定が完了する。そして、この時点で既に入力済みの上記文字列Ｒを、上記完了した設定に対応した内容で含む印字データが、上記ラベル作成装置２０へと送信される。
【００６２】
一方、操作者が親指３６と人差し指３７をタッチパネル部１３から離さすことなく、略円弧軌跡Ｅ１を描く人差し指３７が、図１３に示すように「ゴシック体」表示部４１ａを通り過ぎて「明朝体」表示部４１ｂに到達すると、「明朝体」表示部４１ｂがハイライト表示に変わる（このとき上記「ゴシック体」表示部４１ａは非表示に変わっている）。操作者が人差し指３７をこの「明朝体」表示部４１ｂの位置で止めることで、文字列Ｒに対する設定態様として明朝体が選択される。
【００６３】
そしてこの時点で、操作者が親指３６と人差し指３７とをタッチパネル部１３から離すと、上記設定可能項目としての「フォント種類」の選択と上記設定態様としての「明朝体」の選択が確定し、文字列Ｒに対する設定が完了する。そして、この時点で既に入力済みの上記文字列Ｒを、上記完了した設定に対応した内容で含む印字データが、上記ラベル作成装置２０へと送信される。
【００６４】
一方、上記同様、操作者が親指３６と人差し指３７をタッチパネル部１３から離さすことなく、略円弧軌跡Ｅ１を描く人差し指３７が、さらに「明朝体」表示部４１ｂを通り過ぎて「丸文字体」表示部４１ｃに到達すると、図示を省略するが、「明朝体」表示部４１ｂがハイライト表示に変わる（このとき上記「明朝体」表示部４１ｂは非表示に変わっている）。操作者が人差し指３７をこの「丸文字体」表示部４１ｃの位置で止めることで、文字列Ｒに対する設定態様として丸文字体が選択される。操作者が親指３６と人差し指３７とをタッチパネル部１３から離すと、上記設定可能項目としての「フォント種類」の選択と上記設定態様としての「丸文字体」の選択が確定し、文字列Ｒに対する設定が完了する。そして、この時点で既に入力済みの上記文字列Ｒを、上記完了した設定に対応した内容で含む印字データが、上記ラベル作成装置２０へと送信される。
【００６５】
なお、上記のように設定可能項目として「フォント種類」が選択され、３つの設定態様のうちいずれかが選択されて設定完了した場合には、それ以外の設定可能項目である「フォントサイズ」「文字スタイル」の設定態様は、予め定められたデフォルト値、例えばフォントサイズが「サイズ１２」で、文字スタイルは「正字」となる（図６（ｂ）のラベルイメージＭ参照）。
【００６６】
なお、上記では、「フォント種類」表示部４１により設定可能項目として「フォント種類」が選択された後、３つの設定態様のうちいずれかが選択されて設定完了した場合を例にとって説明した。そして、「フォントサイズ」表示部４２により上記設定可能項目として「フォントサイズ」が選択された後、「９サイズ」表示部４２ａ、「１０サイズ」表示部４２ｂ、「１２サイズ」表示部４２ｃ、のいずれかにより対応する設定態様が選択される場合も、上記同様の表示手法が実行される。この場合、それ以外の設定可能項目である「フォント種類」「文字スタイル」の設定態様は、予め定められたデフォルト値、例えばフォント種類が「ゴシック体」で、文字スタイルは「正字」となる（図６（ｃ）及び図６（ｄ）のラベルイメージＭ参照）。
【００６７】
同様に、「文字スタイル」４３表示部により設定可能項目として「文字スタイル」が選択された後、「正字」表示部４３ａ、「太字」表示部４３ｂ、「斜字」表示部４３ｃ、のいずれかにより対応する設定態様が選択される場合も、上記同様の表示手法が実行される。この場合、それ以外の設定可能項目である「フォント種類」「フォントサイズ」の設定態様は、予め定められたデフォルト値、例えばフォント種類が「ゴシック体」で、フォントサイズは「１２サイズ」となる（図６（ｅ）及び図６（ｆ）のラベルイメージＭ参照）。
【００６８】
＜制御手順＞
上記の表示処理手法を実現するために、制御回路１４が実行する制御手順を図１４により説明する。図１４の処理は、例えば操作者が操作端末１０の電源をＯＮすると開始する。
【００６９】
図１４において、まず、ステップＳ１１０で、制御回路１４は、操作検出部１７から入力される、タッチパネル部１３への接触による操作入力の検出結果に基づき、タッチパネル部１３への２点（上記接触点Ａと接触点Ｂ）の接触が認識されたか否かを判定する。２点の接触が認識されない場合は判定が満たされず（ステップＳ１１０：ＮＯ）、判定が満たされるまでループ待機する。操作者が例えば親指３６と人差し指３７（中指等でもよい）との２本の指によってタッチパネル部１３へ接触すると、タッチパネル部１３の２点の接触が認識されて判定が満たされ（ステップＳ１１０：ＹＥＳ）、ステップＳ１２０に移る。
【００７０】
ステップＳ１２０では、制御回路１４は、操作検出部１７から入力される、タッチパネル部１３への接触による操作入力の検出結果に基づき、タッチパネル部１３における上記２点の接触点（接触点Ａ，Ｂ）が、さらにピンチイン又はピンチアウトされたか否かを判定する。操作者がタッチパネル部１３へ接触した２本の指をいずれも移動せずピンチインもピンチアウトもしない場合は判定が満たされず（ステップＳ１１０：ＮＯ）、上記ステップＳ１１０に戻って同様の手順を繰り返す。操作者がタッチパネル部１３へ接触した例えば親指３６に対し人差し指３７を動かして、親指３６と人差し指３７との間の距離が狭まるようにピンチインするか、親指３６と人差し指３７との間の距離が広がるようにピンチアウトした場合は、判定が満たされ（ステップＳ１２０：ＹＥＳ）、ステップＳ１３０に移る。
【００７１】
ステップＳ１３０では、制御回路１４は、上記２点の接触点Ａ，Ｂのうち、上記ピンチイン・ピンチアウト時に位置が変動しなかったほう又は変動量がわずかであった接触点（この例ではタッチパネル１３において図示下方に位置する、親指３６に対応した接触点Ａ。以下同様）を固定操作点（図中は「固定点」と略示）として決定し、残りの接触点（この例では人差し指３７に対応した接触点Ｂ。以下同様）を移動操作点とする。なお、タッチパネル部１３に接触した人差し指を動かさず、親指を動かした場合は、人差し指の接触点が固定操作点となり、親指の接触点が移動操作点となる。また、親指と人差し指との両方が動かされた場合に、後に動いた方の指の接触点を固定操作点とし、先に動いた方の指の接触点を移動操作点としてもよい。ステップＳ１３０が終了すると、ステップＳ１４０に移る。
【００７２】
ステップＳ１４０では、制御回路１４は、タッチパネル部１３に制御信号を出力し、上記２点のうちの移動操作点（接触点Ｂ）の位置の近傍に、当該２つの接触点Ａ，Ｂの間の離間距離Ｌに応じた上記設定可能項目を、ハイライト表示する（前述の図９、図１０、図１１参照）。ステップＳ１４０が終了すると、ステップＳ１５０に移る。
【００７３】
ステップＳ１５０では、制御回路１４は、操作検出部１７による操作入力の検出結果に基づき、移動操作点（接触点Ｂ。図中は「移動点」と略示））が固定操作点（接触点Ａ）を中心とする略円弧軌跡Ｅ１（又は略円弧軌跡Ｅ２、若しくは略円弧軌跡Ｅ３）を描いているか否かを判定する。移動操作点が固定操作点を中心とする略円弧軌跡を描いていない場合は判定が満たされず（ステップＳ１５０：ＮＯ）、上記ステップＳ１１０に戻って同様の手順を繰り返す。移動操作点が固定操作点を中心とする略円弧軌跡を描いている場合は判定が満たされ（ステップＳ１５０：ＹＥＳ）、ステップＳ１６０に移る。
【００７４】
ステップＳ１６０では、制御回路１４は、操作検出部１７による上記検出結果に基づき、固定操作点（接触点Ａ）周りの移動操作点（接触点Ｂ）の回転角度θを算出する。ステップＳ１６０が終了すると、ステップＳ１７０に移る。
【００７５】
ステップＳ１７０では、制御回路１４は、上記ステップＳ１６０の回転角度θの算出結果に基づき、タッチパネル部１３に制御信号を出力する。これにより、タッチパネル部１３は、回転角度θに応じた設定態様をハイライトで表示する（図１２、図１３参照）。ステップＳ１７０が終了すると、ステップＳ１８０に移る。
【００７６】
ステップＳ１８０では、操作検出部１７による上記検出結果に基づき、タッチパネル部１３に接触した２本の指が全部離れか否かを判定する。操作者がタッチパネル部１３に接触した２本の指のうち少なくとも１本をそのまま接触させている場合は判定が満たされず（ステップＳ１８０：ＮＯ）、上記ステップＳ１５０に戻って同様の手順を繰り返す。操作者がタッチパネル部１３に接触した２本の指を全部離すと判定が満たされ（ステップＳ１８０：ＹＥＳ）、上記ステップＳ１４０〜ステップＳ１７０により選択された設定可能項目及び当該設定可能項目に関わる設定態様が確定し、設定が完了する。その後、ステップＳ１９０に移る。
【００７７】
ステップＳ１９０では、制御回路１４は、通信制御部１６に制御信号を出力し、この時点で既に入力済みの上記文字列Ｒが、上記完了した設定可能項目及び設定態様の内容で含まれた印字データを、上記ラベル作成装置２０へと送信する。これにより、ラベル作成装置２０は当該が印字データを用い、文字列Ｒを印字形成した印字ラベルＬを作成する（図５のステップＳ３０等を参照）。ステップＳ１９０が終わると、このフローを終了する。
【００７８】
なお、上記図１４のフローにおいて、上記ステップＳ１１０が、各請求項記載の操作箇所判定手順に相当し、上記ステップＳ１２０が、各請求項記載の遠近操作判定手順に相当し、上記ステップＳ１３０が、各請求項記載の第１表示手順に相当する。また、上記ステップＳ１４０が、各請求項記載の決定手順に相当し、上記ステップＳ１５０が、各請求項記載の円弧判定手順に相当し、上記ステップＳ１６０が、各請求項記載の角度算出手順に相当する。また、上記ステップＳ１７０が、各請求項記載の第２表示手順に相当し、上記ステップＳ１８０が、各請求項記載の消失判定手順に相当し、上記ステップＳ１９０が、各請求項記載の送信手順に相当する。
【００７９】
＜実施形態の効果＞
以上説明したように、本実施形態においては、操作者が親指３６と人差し指３７の２本をタッチパネル部１３に接触させると、その２つの指の接触点Ａ，Ｂの離間距離Ｌに対応した設定可能項目（「フォント種類」表示部４１、「フォントサイズ」表示部４２、「文字スタイル」表示部４３）がタッチパネル部に表示される。そして例えば親指３６による接触点Ａが固定操作点、人差し指３７による接触点Ｂが移動操作点として決定される。その後、操作者が親指３６をタッチパネル部１３に接触させた状態で固定したまま、その親指３６を回転中心として、人差し指３７により略円弧軌跡Ｅ１，Ｅ２，Ｅ３を描くように回転させると、そのときの回転角度θに応じて、上記設定可能項目について予め定められた複数の設定態様のうちいずれか１つ（「フォントサイズ」であれば、「９サイズ」「１０サイズ」「１２サイズ」のいずれか）が、タッチパネル部１３に表示される。これにより、操作者は、機械的なボタンやキー等を操作する場合に比べ、容易かつ手軽に文字列の態様を所望に設定することができる。また、上記のように固定操作点となる親指３６を中心として移動操作点Ｂとなる人差し指３７を回転させれば足りるので、タッチパネル部１３に表示された円形の図形の外縁に沿って当該図形を回転させるように操作する必要がある従来手法に比べ、回転半径を大きくとることができる。この結果、操作者の指先による操作が楽になり、操作性を向上することができる。
【００８０】
また、本実施形態では特に、タッチパネル部１３において設定態様の表示若しくは設定可能項目の表示を行った後に２箇所の操作入力が消失したら、消失直前の固定操作点（接触点Ａ）及び移動操作点（接触点Ｂ）の位置に対応した設定可能項目及び当該設定可能項目の設定態様を、ラベル作成装置２０へ送信する（ステップＳ１８０及びステップＳ１９０参照）。これにより、操作者は、例えば親指３６を中心として人差し指３７を回転させて文字列に関わる設定可能項目及び設定態様の選択を行った後、それら２つの指３６，３７をタッチパネル部１３から離すだけで、当該選択された設定可能項目及び設定態様をラベル作成装置２０へと送信することができる。この結果、さらに操作者の操作性が向上し、利便性を向上することができる。
【００８１】
また、本実施形態では特に、タッチパネル１３におけるピンチイン・ピンチアウト操作により変動する離間距離Ｌに対応した設定可能項目若しくは設定態様を、タッチパネル部１３に表示する（ステップＳ１２０及びステップＳ１４０参照）。
【００８２】
これにより、操作者が例えば親指３６と人差し指３７とによってタッチパネル部１３の２箇所に接触を行った後にそれらの指３６，３７をスライドさせピンチイン・ピンチアウト操作を行うだけで、その両者間の離間距離に応じた設定可能項目を容易かつ円滑に選択し、対応する処理を行うことができる。この結果、さらに確実に操作性を向上することができる。
【００８３】
なお、本発明は、上記実施形態に限られるものではなく、その趣旨及び技術的思想を逸脱しない範囲内で種々の変形が可能である。以下、そのような変形例を順を追って説明する。
【００８４】
（１）固定操作点に位置ずれ等が生じた場合の対応（その１）
すなわち、上述のタッチパネル１３上での接触操作においては、例えば親指３６を中心に人差し指３７が回転移動することから、親指３６の接触位置がずれたり、親指３６がタッチパネル部１３から離れたりしやすい場合がある。本変形例では、親指３６の接触位置がずれたり、親指３６がタッチパネル部１３から離れたりした場合にも対応可能とする。本変形例におけるタッチパネル部１３の接触操作時に制御回路１４が実行する制御手順の一例を図１５に示す。
【００８５】
図１５のフローチャートは、図１４のフローチャートのステップＳ１４０とステップＳ１８０との間に、新たにステップＳ１８２とステップＳ１８４とを設けた点が異なる。
【００８６】
図１５において、ステップＳ１１０〜ステップＳ１８０は、図１４と同様である。上記ステップＳ１８０において、操作者がタッチパネル部１３に接触した２本のうち少なくとも１本の指の接触を維持している場合は、判定が満たされず（ステップＳ１８０：ＮＯ）、新たに設けたステップＳ１８２に移る。
【００８７】
ステップＳ１８２では、制御回路１４は、操作検出部１７による上記検出結果に基づき、固定操作点である接触点Ａの検出がなくなったか（すなわち親指３６がタッチパネル部１３から離れたか）否かを判定する。なお、親指３６がタッチパネル部１３から離れなくても、親指３６の接触位置がタッチパネル部１３上でずれた（すなわち固定操作点の位置が移動した）場合には、上記の離れた場合と同様に取り扱ってもよい。親指３６が離れることなく接触を維持していた場合は判定が満たされず（ステップＳ１８２：ＮＯ）、上記ステップＳ１５０に戻って同様の手順を繰り返す。親指３６がタッチパネル部１３から離れていた場合は判定が満たされ（ステップＳ１８２：ＹＥＳ）、ステップＳ１８４に移る。
【００８８】
ステップＳ１８４では、制御回路１４は、上記親指３６の離れが生じる前の当初の固定操作点（接触点Ａ）をみなし固定操作点として設定する。その後、上記ステップＳ１５０に戻って同様の手順を繰り返す。このときのステップＳ１５０では、上記みなし固定操作点（接触位置のずれ等が生じる前の当初の固定操作点）を回転中心として、移動操作点が略円弧軌跡を描いたか否かを判定し、上記ステップＳ１６０では、略円弧軌跡に対応した上記みなし固定操作点まわりの回転角度θを算出する。なお、上記以外の手順は図１４と同様であり、説明を省略する。
【００８９】
なお、上記図１５のフローにおいて、上記ステップＳ１８４が、各請求項記載のみなし設定手順に相当する。
【００９０】
本変形例では、２つの指の接触により固定操作点（接触点Ａ）及び移動操作点（接触点Ｂ）が一旦決定された後は、移動操作点による略円弧軌跡を描いている途中で、誤って固定操作点となる指（上記の例では親指３６）の位置がずれたりタッチパネル部１３から離れたとしても、当初の固定操作点の位置（当初の接触点Ａの位置）を用いてそのまま処理を続行することができる。この結果、操作者は、上記指の位置ずれや指離れを気にすることなく比較的ラフな感覚で接触操作を行うことができるので、さらに操作性を向上でき、利便性を向上することができる。
【００９１】
さらには、上記のように固定操作点（接触点Ａ）及び移動操作点（接触点Ｂ）が一旦決定された後は、意図的に固定操作点となる指（上記の例では親指３６）をタッチパネル部１３から離し、移動操作点となる残りの１本の指（上記の例では人差し指３７）だけで操作することも可能である。この場合、さらに容易な操作が可能となり、利便性をさらに向上することができる。
【００９２】
（２）固定操作点に位置ずれ等が生じた場合の対応（その２）
本変形例では、上記変形例（１）とは別の手法で、親指３６の接触位置がずれたり、親指３６がタッチパネル部１３から離れたりした場合にも対応可能とする。本変形例におけるタッチパネル部１３の接触操作時に制御回路１４が実行する制御手順の一例を図１６に示す。
【００９３】
図１６のフローチャートでは、図１５のフローチャートのステップＳ１８４に代えて、新たにステップＳ１８６とステップＳ１８８とが設けられる。
【００９４】
図１６において、ステップＳ１１０〜ステップＳ１８２は、図１５と同様である。上記ステップＳ１８２において、例えば親指３６がタッチパネル部１３から離れた（又は親指３６がタッチパネル部１３上でずれた）場合には判定が満たされ（ステップＳ１８２：ＹＥＳ）、新たに設けたステップＳ１８６に移る。
【００９５】
ステップＳ１８６では、制御回路１４は、操作検出部１７による上記検出結果に基づき、固定操作点である接触点Ａの検出が再び現れたか（すなわち親指３６がタッチパネル部１３に再接触したか）否かを判定する。親指３６のタッチパネル部１３への再接触がない場合は判定が満たされず（ステップＳ１８６：ＮＯ）、判定が満たされるまでループ待機する。操作者が例えばタッチパネル部１３から一旦離した親指３６をタッチパネル部１３に接触した場合は判定が満たされ（ステップＳ１８６：ＹＥＳ）、新たに設けたステップＳ１８８に移る。
【００９６】
ステップＳ１８８では、制御回路１４は、ステップＳ１８６で認識された新たな親指３６の再接触位置を新たな固定操作点として設定し、当初の固定操作点（当初の接触点Ａ）に代えて使用する。その後、上記ステップＳ１５０に戻って同様の手順を繰り返す。上記ステップＳ１５０では、ステップＳ１８８で設定した新たな固定操作点（再接触後の接触点Ａ）を回転中心として、移動操作点（接触点Ｂ）が略円弧軌跡（上記略円弧軌跡Ｅ１，Ｅ２，Ｅ３と同等のもの）を描いたか否かを判定し、上記ステップＳ１６０では、当該略円弧軌跡に対応した上記新たな固定操作点まわりの回転角度θを算出する。なお、上記以外の手順は図１４と同様であるので、説明を省略する。
【００９７】
本変形例によれば、２つの指の接触により固定操作点（接触点Ａ）及び移動操作点（接触点Ｂ）が一旦決定された後に、移動操作点による略円弧軌跡を描いている途中で、誤って固定操作点となる指（上記の例では親指３６）の位置がずれた場合には、そのずれた固定操作点の位置を用いて改めて処理が行われる。この結果、精度のよい接触検出によって、操作者が正確確実な操作を行うことができ、さらに操作性を向上できる。
【００９８】
（３）タッチパネル部の特定箇所に設定可能項目等を表示する場合
以上においては、操作者の２つの指の接触点Ａ，Ｂの離間距離Ｌに対応した設定可能項目（「フォント種類」表示部４１、「フォントサイズ」表示部４２、「文字スタイル」表示部４３）のいずれか１つが接触点Ｂの位置の近傍に表示され、さらにその後の円弧軌跡Ｅ１，Ｅ２，Ｅ３に沿った接触点Ｂの移動により、対応する複数の設定態様のうちのいずれか１つ（例えば「９サイズ」「１０サイズ」「１２サイズ」等）が当該円弧軌跡Ｅ１，Ｅ２，Ｅ３上に表示された。しかしながら、これに限られず、上記のような接触点Ｂの位置に基づき選択的に１つ表示される設定可能項目の表示や設定態様の表示を、接触点Ｂの位置自体とは無関係なタッチパネル部１３の特定部位（例えばタッチパネル部１３の右上部領域）において表示してもよい。この場合も同様の効果を得る。
【００９９】
（４）その他
上記実施形態及び変形例（１）（２）においては、複数の設定可能項目のうち固定操作点（接触点Ａ）と移動操作点（接触点Ｂ）との離間距離Ｌに対応した１つの設定可能項目を表示した後に、当該１つの設定可能項目における複数の設定態様のうち上記回転角度θに対応した１つの設定態様を表示したが、これに限られない。すなわち、上記離間距離Ｌに対応した１つの上記設定態様を表示した後に、複数の設定可能項目のうち上記回転角度θに対応した１つの設定可能項目を表示してもよい。この場合も、上記同様、容易かつ手軽に文字列の態様を所望に設定でき、操作性を向上することができる。
【０１００】
また、以上においては、操作端末１０の操作対象となる電子機器がラベル作成装置２０であり、操作入力処理プログラムとしてラベル作成用処理プログラムが適用される場合を例にとって説明したが、これに限られない。例えば、操作対象となる電子機器として、デジタルオーディオプレーヤに本発明の上記操作入力処理プログラムを適用してもよい。この場合、上記設定可能項目としては、例えば「選曲」「音量」「イコライザ」等が表示される。そして、「選曲」項目に関わる上記設定態様としては「Ｍｕｓｉｃ１」「Ｍｕｓｉｃ２」「Ｍｕｓｉｃ３」等が表示され、「音量」項目に関わる上記設定態様としては「０」「１」・・「２０」等の数値が表示され、「イコライザ」項目に関わる上記設定態様としては「Ｎａｔｕｒａｌ」「Ｒｏｃｋ」「ＰｏＰ」「Ｃｌａｓｓｉｃａｌ」「Ｊａｚｚ」等が表示される。
【０１０１】
なお、以上において、図３、図４中に示す矢印は信号の流れの一例を示すものであり、信号の流れ方向を限定するものではない。
【０１０２】
また、図５、図１４、図１５、図１６に示すフローチャートは本発明を上記フローに示す手順に限定するものではなく、発明の趣旨及び技術的思想を逸脱しない範囲内で手順の追加・削除又は順番の変更等をしてもよい。
【０１０３】
また、以上既に述べた以外にも、上記実施形態や各変形例による手法を適宜組み合わせて利用しても良い。
【０１０４】
その他、一々例示はしないが、本発明は、その趣旨を逸脱しない範囲内において、種々の変更が加えられて実施されるものである。
【符号の説明】
【０１０５】
１０              操作端末
１３              タッチパネル部
１４              制御回路
１７              操作検出部（検出手段）
２０              ラベル作成装置
３３              テープ（被印字媒体）
３６              親指
３７              人差し指
Ａ                接触点（固定操作点）
Ｂ                接触点（移動操作点）
Ｌ１，Ｌ２．Ｌ３  離間距離
Ｒ                文字列
Ｅ１，Ｅ２．Ｅ３  略円弧状軌跡
θ                回転角度
【図１】
2014067239.tif 000003
【図２】
2014067239.tif 000004
【図３】
2014067239.tif 000005
【図４】
2014067239.tif 000006
【図５】
2014067239.tif 000007
【図６】
2014067239.tif 000008
【図７】
2014067239.tif 000009
【図８】
2014067239.tif 000010
【図９】
2014067239.tif 000011
【図１０】
2014067239.tif 000012
【図１１】
2014067239.tif 000013
【図１２】
2014067239.tif 000014
【図１３】
2014067239.tif 000015
【図１４】
2014067239.tif 000016
【図１５】
2014067239.tif 000017
【図１６】
2014067239.tif 000018